(57)【要約】【課題】柄表示体の内側に配設した照明手段により、該図柄表示体に表示した各図柄を均一な明るさで照明し得る遊技機用の回転式図柄表示装置を提供する。【解決手段】前記照明手段４１は、図柄ドラム３４の円周に沿って前記配線基板３０に配設される複数のＬＥＤ４１ａと、該配線基板３０に配設され、該ＬＥＤ４１ａの光を反射して可視表示部に到来した各図柄を後側から照明するリフレクタ４２とから構成する。また、前記リフレクタ４２は、前記図柄ドラム３４の円周に近似した形状を有する円弧状部材と、該円弧状部材に開設されて、前記ＬＥＤ４１ａを収容する開口部４３と、該開口部４３に連通してＬＥＤ４１ａの光を反射させる主反射面４２ａ，４２ｂ，４２ｃと、可視表示部に向け膨出して該ＬＥＤ４１ａの光を反射させる補助反射面４２ｄ，４２ｅ，４２ｆ，４２ｇとから構成される。【選択図】　図１
2004033306.tif 000002
【特許請求の範囲】
【請求項１】
複数種類の図柄が表示される図柄表示体と、前記図柄表示体を回転および停止させて、各図柄を遊技機の可視表示部に順次到来させる回転駆動手段と、前記回転駆動手段が配設される配線基板と、前記可視表示部に到来する図柄表示体の各図柄を照明する照明手段とからなる回転式図柄表示装置において、
前記照明手段は、前記図柄表示体の円周に沿って前記配線基板に配設される複数の発光体と、
前記配線基板に配設され、前記複数の発光体からの光を反射して前記可視表示部に到来した図柄表示体の各図柄を後側から照明するリフレクタとからなり、
前記リフレクタは、前記図柄表示体の円周に近似した形状を有する円弧状部材と、
前記円弧状部材に開設されて、前記複数の発光体を収容する開口部と、
前記円弧状部材の外周面をなし、前記開口部に連通して前記発光体からの光を前記可視表示部に到来する前記図柄表示体の各図柄に反射させる主反射面と、
前記円弧状部材の内側面をなし、前記可視表示部に向け突出して前記発光体からの光を内側方向へ反射させる補助反射面とから構成した
ことを特徴とする遊技機用の回転式図柄表示装置。
【請求項２】
前記リフレクタの主反射面は、前記円弧状部材の外周面を所要間隔で周方向へ順次傾斜させた、上方反射面、中央反射面および下方反射面として構成され、これら上方反射面、中央反射面および下方反射面は前記複数の発光体を収容している前記開口部に対応的に連通している請求項１記載の遊技機用の回転式図柄表示装置。
【請求項３】
前記リフレクタの補助反射面は、前記可視表示部に近接するにつれて外方へ突出する湾曲面となっている右側部反射面および左側部反射面と、該可視表示部に近接するにつれて外側に突出する上側部反射面と下側部反射面として構成される請求項１または２記載の遊技機用の回転式図柄表示装置。
【発明の詳細な説明】
【０００１】
【発明の属する技術分野】
この発明は、遊技機用の回転式図柄表示装置に関し、更に詳細には、回転する図柄表示体の内側に臨むよう配設され、該図柄表示体の円周面に表示した各種図柄を後側から照明する照明手段を有する遊技機用の回転式図柄表示装置に関するものである。
【０００２】
【従来の技術】
遊技機の代表例であるパチンコ機には、遊技中に発生する始動および停止を含む変動制御条件に基づいて図柄組合わせゲームを展開して特別遊技状態に係る権利とされる組合わせ入賞条件を成立表示することのできるドラム式やベルト式と称される回転式図柄表示装置が配設されているものがある。例えば、ドラム式図柄表示装置は、図１０に示すように、図柄表示体として各種図柄を表示した平プーリ形の図柄ドラム６７や、該図柄ドラム６７を回転および停止を行なう駆動手段６８等を駆動基板６５上に配設して１基毎にユニット化した図柄表示ユニット６４が、ドラムケース６１（収容ケース）内に複数基（通常では左列、中列、右列の３基）を組単位として並列セットされている。
【０００３】
前記ドラム式図柄表示装置６０は、遊技盤における前面の中央に組付けた大型装飾部品に開口形成された透視窓状の可視表示部に対し、前記各図柄表示ユニット６４の各図柄ドラム６７を透視表示体６２に臨ませた状態で遊技盤の裏面に組付けて固定される。そして、パチンコゲーム中に発生した始動信号入力条件により、例えばドラムケース６１の後側に配設されている表示制御装置６３から発生される制御出力に基づいて各図柄表示ユニット６４の図柄ドラム６７が設定時間条件で回転・停止し、前記可視表示部に設けた入賞ライン上に図柄を停止表示する。
【０００４】
また、図１０に示すように、前記図柄ドラム６７内に配設した照明手段６９により前記入賞ラインを明輝表示するようになっている。ここで、前記照明手段６９は、駆動基板６５の上下方向に離間して配設され、図柄ドラム６７の最も前方に膨出した部位を指向する一対の発光体７０，７０と、両発光体７０，７０の後側面に沿って配設され、各発光体７０の光を前側に反射するリフレクタ部材７１とから構成されている。そして、前記発光体７０から直接照射される光と、前記リフレクタ部材７１により反射された反射光により、前記入賞ライン上に位置する図柄を明輝表示している。
【０００５】
【発明が解決しようとする課題】
前述のように前記入賞ラインに位置する図柄を、発光体７０による直接光とリフレクタ部材７１で反射された反射光とで照明すると、図柄に直接光を受ける部位と反射光を受ける部位とが生ずることになる。このため、図柄を均一な輝度で照明することは困難であり、図柄に照明斑が生ずる欠点がある。また、前記発光体７０を駆動基板６５の上下方向に離間して配設した発光体７０およびリフレクタ部材７１で、前記入賞ラインの全体を明輝表示するよう構成してあるので、入賞ラインを複数（例えば、上段・中段・下段）形成した場合に、各入賞ライン毎に個別に明輝表示できず、発光による演出態様が限られる問題も指摘されている。
【０００６】
【発明の目的】
本発明は、前述した従来の技術に内在している前記課題に鑑み、これを好適に解決するべく提案されたものであって、図柄表示体の内側に配設した照明手段により、該図柄表示体に表示した各図柄を均一な明るさで照明し得る遊技機用の回転式図柄表示装置を提供することを目的とする。
【０００７】
【課題を解決するための手段】
前記課題を克服し、所期の目的を達成するため、本発明に係る遊技機用の回転式図柄表示装置は、
複数種類の図柄が表示される筒状の図柄表示体（３４）と、前記図柄表示体（３４）を回転および停止させて、各図柄を遊技機の可視表示部（１５）に順次到来させる回転駆動手段（３８）と、前記回転駆動手段（３８）が配設される配線基板（３０）と、前記可視表示部（１５）に到来する図柄表示体（３４）の各図柄を照明する照明手段（４１）とからなる回転式図柄表示装置（２０）において、
前記照明手段（４１）は、前記図柄表示体（３４）の円周に沿って前記配線基板（３０）に配設される複数の発光体（４１ａ）と、
前記配線基板（３０）に配設され、前記複数の発光体（４１ａ）からの光を反射して前記可視表示部（１５）に到来した図柄表示体（３４）の各図柄を後側から照明するリフレクタ（４２）とからなり、
前記リフレクタ（４２）は、前記図柄表示体（３４）の円周に近似した形状を有する円弧状部材と、
前記円弧状部材に開設されて、前記複数の発光体（４１ａ）を収容する開口部（４３）と、
前記円弧状部材の外周面をなし、前記開口部（４３）に連通して前記発光体（４１ａ）からの光を前記可視表示部（１５）に到来する前記図柄表示体（３４）の各図柄に反射させる主反射面（４２ａ，４２ｂ，４２ｃ）と、
前記円弧状部材の内側面をなし、前記可視表示部（１５）に向け膨出して前記発光体（４１ａ）からの光を内側方向へ反射させる補助反射面（４２ｄ，４２ｅ，４２ｆ，４２ｇ）とから構成したことを特徴とする。
【０００８】
また、前記リフレクタ（４２）の主反射面（４２ａ，４２ｂ，４２ｃ）は、前記円弧状部材の外周面を所要間隔で周方向へ順次傾斜させた、上方反射面（４２ａ）、中央反射面（４２ｂ）および下方反射面（４２ｃ）として構成し、これら上方反射面（４２ａ）、中央反射面（４２ｂ）および下方反射面（４２ｃ）は前記複数の発光体（４１ａ）を収容している前記開口部（４３）に対応的に連通させてもよい。
【０００９】
更に、前記リフレクタ（４２）の補助反射面（４２ｄ，４２ｅ，４２ｆ，４２ｇ）は、前記可視表示部（１５）に近接するにつれて外方へ突出する湾曲面となっている右側部反射面（４２ｆ）および左側部反射面（４２ｇ）と、該可視表示部（１５）に近接するにつれて外側に突出する上側部反射面（４２ｄ）と下側部反射面（４２ｅ）として構成することもできる。
【００１０】
【作用】
本発明に係る遊技機用の回転式図柄表示装置における図柄表示体に表示された各図柄を照明する照明手段は、該図柄表示体の円周に沿って配線基板に配設した複数の発光体と、該複数の発光体からの光を反射するリフレクタとから構成される。そして、前記リフレクタを前記図柄表示体の円周に近似した形状を有する円弧状部材に形成して、この円弧状部材に前記複数の発光体を収容する開口部を開設してある。この開口部に発光体を収容するため、前記複数の発光体からの直接光により、前記図柄表示体の各図柄が照明されることはない。更に、前記リフレクタは、前記開口部に連通して各発光体からの光を前記可視表示部を通過する前記図柄表示体の図柄に反射させる主反射面と、該可視表示部に向けて突出して各発光体からの光を図柄表示体の内側方向へ反射させる補助反射面とから構成されている。従って、前記各発光体からの光は、前記開口部と主反射面と連通している部位を通り、前記主反射面および補助反射面で反射されて、この反射光により前記図柄表示体の図柄が照明される。このように、前記可視表示部を通過する前記図柄表示体の図柄を反射光だけで照明することにより、各図柄を均一な輝度で明輝表示することができ、照明斑の発生を防止することが可能である。
【００１１】
また、前記主反射面を所要間隔で周方向へ順次傾斜させた上方反射面、中央反射面および下方反射面から構成すると共に、これら上方反射面、中央反射面および下方反射面の夫々を、前記複数の発光体を収容した前記開口部に対応的に連通させることで、前記可視表示部に入賞ラインを複数設けた場合に各入賞ライン毎に個別に明輝表示でき、発光による種々の演出を行ない得るようになる。更に、前記補助反射面を、前記可視表示部に近接するにつれて外方へ突出する湾曲面となっている右側部反射面および左側部反射面と、該可視表示部に近接するにつれて外側に突出する上側部反射面と下側部反射面として構成することで、前記図柄表示体の各図柄の全体に反射光を照射し得るようになるので、各図柄の全体が均一な輝度で明輝表示されて照明斑が生じ難くなる。
【００１２】
【発明の実施の形態】
次に、本発明に係る遊技機用の回転式図柄表示装置につき、好適な実施例を挙げて添付図面を参照しながら、以下詳細に説明する。ここで本実施例では、遊技機としてパチンコ球を遊技媒体として使用するパチンコ機を例示すると共に、回転式図柄表示装置として該パチンコ機に実施されるドラム形式の回転式図柄表示装置を例示する。
【００１３】
（パチンコ機について）
先ず本実施例のドラム式図柄表示装置が取付けられるパチンコ機の概略構成について、図２および図３を参照して説明する。本実施例のパチンコ機Ｐは、その基本的な概略構成として、外枠Ａの開口前面側に対して前枠Ｂが、連結支持手段および施錠手段を利用して着脱および開放可能に組付けられている。そして、前枠Ｂに横開き式のガラス扉Ｄを組付けた窓枠Ｃと、ガラス扉Ｄの下部において窓枠Ｃに対して着脱および開放可能に組付けられる開閉セット板の前側にセットされた上球皿Ｅおよび後側にセットされた電動式の球送り装置（図示せず）と、下段に位置する下球皿Ｆおよび打球発射装置Ｈと、後側に位置する機構セット盤（図示せず）等が夫々装備されている一方、前枠Ｂの後側に所要の遊技領域Ｉを構成した遊技盤Ｊが着脱交換可能にセットされる。なお、以下の説明において前，後および左，右とは、図２に示すように前記遊技盤Ｊを前側から見た場合において指称するものとする。
【００１４】
（遊技盤について）
前記遊技盤Ｊは、図３に示すように、略円形状に湾曲形成したレール１０により囲まれた遊技領域Ｉの前側において、縦央やや下部に配設されてセーフ球をスイッチで検出し得る始動入賞具１１と、この始動入賞具１１の直上方に配置された後述のドラム式図柄表示装置２０と、風車とも称されて遊技球用の流下方向を任意に変向する電飾案内車１２および普通案内車１３と、始動入賞具１１の直下方に設置された大型電動式の入賞装置Ｌと、遊技状態に応じて照射パターンが変更制御される電飾装置１４等を備えている。また遊技盤Ｊの後側には、セーフ球を機構セット盤側に通出案内させる図示しないセーフ球案内部材が装着されている。そして、セーフ球案内部材に開設した可視表示部１５の後側に合わせてドラム式図柄表示装置２０が装備セットされるようになっている。なお、符号１６はアウト口を示す。
【００１５】
前記始動入賞具１１内に配設された図示しないスイッチは、各セーフ球の検出毎にドラム式図柄表示装置２０を１回ずつ作動スタートさせるための始動入力手段として利用される。また前記入賞装置Ｌは、ドラム式図柄表示装置２０の大当り成立時に対する特別遊技状態として、開成作動条件が付与される大型の入賞装置であって、特別入賞具１７に対設された扉状の開閉板１８が、後側の電磁ソレノイドに係る設定駆動条件に基づいて、通常の閉鎖状態から開放状態に変化されるようになっている。そして、特別入賞具１７の後側内部にセーフ球用のカウントスイッチと、開放作動継続用の特別スイッチ（Ｖスイッチ）が組込まれている（何れも図示せず）。なお、入賞装置Ｌの左右両側に普通入賞具１９，１９が設けられている。
【００１６】
（ドラム式図柄表示装置について）
次に、前記遊技盤Ｊの裏側に設置される実施例に係るドラム式図柄表示装置２０について説明する。実施例のドラム式図柄表示装置２０は、図４に示すように、前側に位置する透視表示体２２と、この透視表示体２２の後側に配設するドラムケース（収容ケース）２１とから箱状に形成されており、このドラムケース２１内に横並び状態で３基の図柄表示ユニットＵ，Ｕ，Ｕが収容セットされている。そして、前記始動入賞具１１からの始動入力条件により、所要位置に設置した表示制御装置（図示せず）から発生する制御出力に基づいて、各図柄表示ユニットＵを構成する図柄ドラム（図柄表示体）３４を設定時間に亘って回転させた後に停止する形式のものである。
【００１７】
（透視表示体について）
前記透視表示体２２は、図４に示すように、前記ドラム式図柄表示装置２０の前位置決め部材としても機能する部材である。前記透視表示体２２は、透明合成樹脂材により後側に開放する箱蓋形に形成され、その中央部には前向きの凸円弧形に膨出する透視部２２ａが形成されており、該透視部２２ａが前記可視表示部１５に整合するようになっている。また、前記透視表示体２２の後側で前記透視部２２ａの下方位置には、上下方向に延在すると共に左右方向に離間する３箇所に溝部２２ｂが形成されている。なお、前記透視部２２ａには、各種図柄の有効停止ラインを表わす図柄停止ラインＴ（図３参照）が複数列・複数段、具体的には３列×３段で設けられて、合計９個の図柄を停止表示するよう構成されている。
【００１８】
（ドラムケースについて）
前記ドラムケース２１は、図４に示す如く、前後に連結可能な後ケース２４および前ケース２５とから構成されている。この後ケース２４は、前側に開口する箱状に形成されると共に、該後ケース２４における後壁部２４ａの上部位置には、３箇所に挿通孔（図示せず）を形成してある。そして、前記ドラムケース２１内に収容セットした前記各図柄表示ユニットＵのコネクタ接続口３０ａ（後述）が、対応する前記各挿通孔から外部に挿通され得るようになっている。また、前記後壁部２４ａの内側には、左右に離間して前側に突出する一対の規制突部２４ｂ，２４ｂが、左右方向に離間して３組設けられている。
【００１９】
前記前ケース２５は、前後方向に開口する角筒状に形成されており、後側の開口部は前記後ケース２４の開口部に整合し、前側の開口部は前記透視表示体２２の後面に当接させた際に、前記透視部２２ａの外側を囲繞するようになっている。また、前ケース２５における上壁部２５ａの内側には、前後方向に延在する突片部（第２係合部）２５ｂが、左右方向に離間して３箇所に形成されている。なお、前記透視表示体２２の溝部２２ｂ、後ケース２４の規制突部２４ｂ，２４ｂおよび前ケース２５の突片部２５ｂは略同一面上に位置するよう構成される。
【００２０】
（図柄表示ユニットについて）
前記各図柄表示ユニットＵは、基本的に同一の構成とされる。すなわち、図１または図５に示すように、前記図柄表示ユニットＵは、略矩形状の配線基板３０と、この配線基板３０の一面（実施例では右面）に配設されて前記図柄ドラム３４の回転および停止を行なうステッピングモータ（回転駆動手段）３８と、配線基板３０の右面に位置して前記透視部２２ａを介して前記可視表示部１５に臨む図柄ドラム３４と、配線基板３０の右面に配設されて該図柄ドラム３４に設けられた図柄を後側から照明し得る照明手段４１と、配線基板３０の右面に配設されて当該図柄ドラム３４の原位置検出を行なう検出センサ（位置検出手段）４８とから基本的に構成される。なお、前記配線基板３０における前側端縁の略中央に、前方に向かって円弧状に突出する設置部３１が形成されており、該設置部３１にベース部材３２を配設固定するようになっている（図１参照）。
【００２１】
前記ベース部材３２は、図１または図７に示すように、前記設置部３１と整合する半円状の板面３２ａと、該板面３２ａの端縁部に延設され、該設置部３１（配線基板３０）における円弧状端縁部３１ａの外部輪郭に合致する円弧状規制片３２ｂとを有している。ここで、前記円弧状規制片３２ｂは、前記板面３２ａにおける前側端縁の略全長に亘って該板面３２ａから左右方向に延出しており、該円弧状規制片３２ｂにおける左側に延出する部位を前記設置部３１の円弧状端縁部３１ａに外方（配線基板３０の右側）から整合させることで、前記ベース部材３２が前記配線基板３０に対して位置決めされる。また、前記ベース部材３２の下方位置には、右方向に突出する台状の取付部３３が一体的に形成されており、該取付部３３の右端面に前記検出センサ４８を取付けるよう構成されている。すなわち、前記検出センサ４８は、前記ベース部材３２の板面３２ａから所要距離だけ離間した位置（後述の連結固定部３９近傍）に設けられ、該ベース部材３２を前記配線基板３０に取付けることで、該配線基板３０に対して検出センサ４８の位置決めがなされるようになっている。更に、前記ベース部材３２における前記板面３２ａには、前記円弧状規制片３２ｂの内側（後方側）で、かつその円弧状に倣って開口する第１の開口部（開口部）３２ｆが形成されている。
【００２２】
また、図７または図８に示すように、前記ベース部材３２における円弧状規制片３２ｂの上端部近傍から上方に向けて突出部３２ｃが延出形成されており、該突出部３２ｃの端部に、前方および上方に開口する位置決め凹部（第１係合部）３２ｄが形成されて、該凹部３２ｄと前記前ケース２５の突片部２５ｂとが係脱可能に係合するようになっている。また、前記ベース部材３２の突出部３２ｃの下端部近傍（位置決め凹部３２ｄの下側）には、前記配線基板３０の前側上方角部と係脱可能に係合する切欠部３２ｇが形成されて、該配線基板３０と切欠部３２ｇとの係合状態において、該配線基板３０に対して突出部３２ｃの位置規制がなされる。更に、前記円弧状規制片３２ｂにおける下端部近傍に、先端が前側を指向するＬ字状の位置決め突部３２ｅが形成されて、該突部３２ｅと前記透視表示体２２の溝部２２ｂとが係脱可能に係合するよう構成されている。すなわち、前記位置決め凹部３２ｄと突片部２５ｂおよび前記位置決め突部３２ｅと溝部２２ｂの夫々が係合することで、前記配線基板３０の前側を位置決めするよう構成される。
【００２３】
また、前記ステッピングモータ３８は、図１または図５に示すように、前記配線基板３０の略中央位置に配設される。そして、前記配線基板３０の後方上部位置に設けたコネクタ接続口３０ａに、前記ステッピングモータ３８を駆動制御する前記表示制御装置を接続するようになっている。ここで、ステッピングモータ３８は一例として２００パルス単位で１回転し、図柄ドラム３４の外周面に１０個の図柄が形成されている場合は、２０パルス単位で１図柄分の角度３６°を変動して停止するよう設定してある。
【００２４】
（図柄ドラムについて）
前記図柄ドラム３４は、図１または図６に示すように、左右方向に離間して設けられて、同一の円形枠状に形成された右枠部３５および左枠部３６を、周方向に離間する複数の支持部材３７で平行状態に連結固定することで円筒状に形成される。すなわち、前記図柄ドラム３４の周面の大部分は開口した状態となっている。また、前記図柄ドラム３４の周面には、例えば光透過性を有する樹脂フィルム等を材質として表面に複数の各種図柄を設けた図柄フィルム３４ａ（図４参照）が配設されており、各図柄が前記各図柄停止ラインＴに個別に臨むよう構成される。なお、前記左右の枠部３５，３６の直径は、前記ベース部材３２における円弧状規制片３２ｂの前側を非接触状態で回転するよう設定されている。
【００２５】
更に、前記右枠部３５の所要箇所には径方向内側に向けて所要量だけ延出した後に前記配線基板３０側に屈曲する略Ｌ字状のスポーク３５ａが複数（実施例では５つ）形成してある。そして、前記図柄ドラム３４の略中心位置に位置する連結固定部３９に前記各スポーク３５ａが連結しており、該連結固定部３９を前記ステッピングモータ３８の回転軸３８ａと連結することで、前記図柄ドラム３４が該モータ３８の回転に追従して回転するようになっている。
【００２６】
（位置検出体および位置検出手段について）
図５または図６に示すように、前記連結固定部３９の所要位置には、前記図柄ドラム３４の位置指標として機能するインデックス（位置検出体）４６が形成されている。このインデックス４６は、前記連結固定部３９から径方向外側に延出する支持部４６ａと、該支持部４６ａの先端部から配線基板３０側に屈曲した検出片４６ｂとからＬ字状に形成してある（図６参照）。そして、前記ベース部材３２の取付部３３に取付けられる前記検出センサ４８により、図柄ドラム３４に設けた前記インデックス４６の検出時毎に図柄ドラム３４の原位置を確認検出するよう構成される。前記検出センサ４８は、凹形の本体部の対向位置に発光部と受光部を夫々備えており、図柄ドラム３４の回転中において、前記連結固定部３９に設けたインデックス４６の検出片４６ｂにより遮光された時点で検出（ＯＮ）状態とされて、ステッピングモータ３８および図柄ドラム３４の１回転（３６０°）を検出するように設定されている。そして、検出された図柄の原位置からの図柄ドラム３４（ステッピングモータ３８）の回転量に基づいて、所定の図柄を前記図柄停止ラインＴに停止表示し得るようになっている。
【００２７】
（照明手段について）
前記照明手段４１は、図１に示すように前記図柄ドラム３４に光を照射するための複数の発光ダイオード（発光体）４１ａと、該発光ダイオード（以下ＬＥＤと云う）４１ａから照射された光を反射して前記可視表示部１５に到来した前記図柄ドラム３４に表示した各図柄を後側から照射するリフレクタ４２とから構成されている。前記ＬＥＤ４１ａは前記配線基板３０における設置部３１の円弧状端縁部３１ａの内側に沿って複数配設され、前記ベース部材３２を該設置部３１に取付けた際に、ベース部材３２における前記第１の開口部３２ｆへ挿通されるようになっている。また、前記ＬＥＤ４１ａは、右方向を指向するよう配設されており、図６に示すように、前記図柄ドラム３４の軸方向に光を照射するよう構成してある。
【００２８】
また、前記リフレクタ４２は、図５に示すように、前記図柄ドラム３４の円周に近似した形状を有する円弧状部材として形成され、該リフレクタ４２の円弧状端縁部（後述の左側部反射面４２ｇの端縁部）を前記ベース部材３２の円弧状規制片３２ｂにおける右側に延出する部位に内側（後側）から当接させた状態で位置決めされて、前記ベース部材３２に配設固定される。そして、前記リフレクタ４２を前記ベース部材３２に位置決めすると共に、該ベース部材３２を配線基板３０に位置決めしたもとで、当該リフレクタ４２の後面側に配設される固定部材４４と配線基板３０とをビス止めすることにより、各部材３０，３２，４２，４４を夫々連結固定するようになっている。また、前記リフレクタ４２には、前記ベース部材３２に開設した前記第１の開口部３２ｆと略整合する第２の開口部４３，４３，４３が開設されており、該第１の開口部３２ｆを通出した前記複数のＬＥＤ４１ａを収容し得るよう構成される。
【００２９】
なお、前記第２の開口部４３，４３，４３は、後述する上方反射面４２ａと中央反射面４２ｂとの境界および、中央反射面４２ｂと下方反射面４２ｃとの境界に夫々対応する箇所に形成された仕切部４３ａ，４３ａにより上下に区切られて、各第２の開口部４３が上部反射面４２ａ、中央反射面４２ｂおよび下方反射面４２ｃに連通している。また、前記固定部材４４とステッピングモータ３８との間を所要間隔離間して所要の通出路４５を形成してあり（図５または図６参照）、該ステッピングモータ３８を駆動して前記図柄ドラム３４を回転させた際に、前記インデックス４６が該通出路４５を通過するようになっている。
【００３０】
前記リフレクタ４２は、図１または図９に示すように、円弧状部材の外周面をなし、前記第１の開口部３２ｆおよび各第２の開口部４３に連通して前記各ＬＥＤ４１ａからの光を前記可視表示部１５を通過する前記図柄ドラム３４の各図柄に反射させる主反射面４２ａ，４２ｂ，４２ｃと、該円弧状部材としてのリフレクタ４２の内側面をなし、該可視表示部１５に向けて突出して該ＬＥＤ４１ａからの光を該図柄ドラム３４の内側方向へ反射させる補助反射面４２ｄ，４２ｅ，４２ｆ，４２ｇとから構成されている。
【００３１】
そして、図１、図５または図９に示すように、前記リフレクタ４２の主反射面は、前記図柄ドラム３４の軸方向と平行に形成され、かつ外周面を所要間隔で周方向へ順次傾斜させた上方反射面４２ａ、中央反射面４２ｂおよび下方反射面４２ｃから構成される。そして、前記上方反射面４２ａ、中央反射面４２ｂおよび下方反射面４２ｃの夫々が、前記可視表示部１５における図柄停止ラインＴの上段、中段および下段の夫々に対応している。なお、前記各反射面４２ａ，４２ｂ，４２ｃの左右の幅寸法は、前記図柄ドラム３４の幅寸法より小さく設定してある。
【００３２】
また、前記補助反射面は、図１、図６または図９に示すように、前記上方反射面４２ａの上端縁に形成されて、前記図柄ドラム３４の幅方向に拡がりながら前記可視表示部１５に近接するにつれて外方（前側）に突出する上側部反射面４２ｄと、前記下方反射面４２ｃの下端縁に形成されて、該図柄ドラム３４の幅方向に拡がりながら該可視表示部１５に近接するにつれて外方（前側）に突出する下側部反射面４２ｅと、前記各反射面４２ａ〜４２ｅの左右の側縁に形成されて、前記図柄ドラム３４における右枠部３５に向かって拡がりながら該可視表示部１５に近接するにつれて外方（前側）に突出する湾曲面となっている右側部反射面４２ｆと、左枠部３６に向かって拡がりながら該可視表示部１５に近接するにつれて外方（前側）に突出する湾曲面となっている左側部反射面４２ｇとから構成されている。これにより、前記補助反射面４２ｄ，４２ｅ，４２ｆ，４２ｇは、前記ＬＥＤ４１ａからの光を受けて、前記透視表示体２２における図柄停止ラインＴ側に反射するようになっている。
【００３３】
なお、前記各第２の開口部４３は、図５、図６または図９に示すように、前記主反射面４２ａ，４２ｂ，４２ｃと左側部反射面４２ｇとの間に形成されており、前記ベース部材３２の第１の開口部３２ｆに挿通した前記各ＬＥＤ４１ａが、主反射面４２ａ，４２ｂ，４２ｃの前面側に整列すると共に、該左側部反射面４２ｇにより覆蓋されて、該ＬＥＤ４１ａにより図柄ドラム３４の図柄を直接照明しないよう構成されている。
【００３４】
【実施例の作用】
次に、実施例に係る遊技機用のドラム式図柄表示装置の作用につき説明する。前記ベース部材３２を前記配線基板３０に配置するに際には、該配線基板３０における設置部３１の円弧状端縁部３１ａに、該設置部３１と整合する半円状の板面３２ａを備えるベース部材３２に形成した円弧状規制片３２ｂを外方（配線基板３０の右側）から当接させる。このとき、前記ベース部材３２における円弧状規制片３２ｂは、前記配線基板３０における円弧状端縁部３１ａの外部輪郭に合致する円弧状に形成してあるので、当該円弧状規制片３２ｂを前記設置部３１に当接させた状態で該ベース部材３２が上下方向に容易にズレることはない。また、前記ベース部材３２の板面３２ａに開設した第１の開口部３２ｆに、前記設置部３１に配設した複数のＬＥＤ４１ａを挿通するようにしたので、当該ベース部材３２が前方向に移動しない。このように、前記配線基板３０に対して、ボスと孔部とを利用することなく前記ベース部材３２を簡単に位置決めすることができるので、作業性が向上すると共に、コストを低廉に抑えることが可能である。
【００３５】
また、図１または図６に示すように、前記ベース部材３２の下方位置に右方向に突出した取付部３３を形成し、該取付部３３の端面に検出センサ４８を配設することで、検出センサ４８を前記ベース部材３２（配線基板３０）から所要距離だけ右方向に離間する位置（連結固定部３９近傍）に位置決めすることができる。すなわち、前記配線基板３０から離間した位置に検出センサ４８を取付けるに際し、ボスと孔部とを利用する必要がないので、容易に作業を行ない得ると共に、コストの上昇を防止し得る。更に、前記検出センサ４８を前記インデックス４６の近傍（連結固定部３９の近傍）に位置するようにしたから、該検出センサ４８で検出するインデックス４６の検出片４６ｂの長さを短縮することができる。すなわち、前記検出センサ４８を前記インデックス４６の支持部４６ａに近接させ、前記インデックス４６の検出片４６ｂを短くすることにより、前記図柄ドラム３４の回転に際して前記検出片４６ｂに折れ曲がり等が発生するのを抑制でき、正確な図柄ドラム３４の原位置検出を行ない得る。
【００３６】
前記設置部３１に配設した前記複数のＬＥＤ４１ａの光を反射するリフレクタ４２における円弧状端縁部（左側部反射面４２ｇの端縁）を、前記ベース部材３２の円弧状規制片３２ｂに当接させることで、該リフレクタ４２の前移動が規制されて当該リフレクタ４２はベース部材３２（配線基板３０）に対して位置決めされる。すなわち、前述と同様に、ボスと孔部とを利用することなく前記リフレクタ４２を前記ベース部材３２に対して位置決めし得るので、作業性を向上させ得ると共に、コストの上昇を抑えることができる。また、前記検出センサ４８とリフレクタ４２を、同一のベース部材３２により前記配線基板３０に対して位置決めすることができるので、部品点数を減少させて作業の手間を低減することができる。
【００３７】
前記リフレクタ４２に開設した前記第２の開口部４３に、前記ベース部材３２の第１の開口部３２ｆを介して前記複数のＬＥＤ４１ａを挿通するようにしたので、該リフレクタ４２の上下および前方向の移動が規制されて当該リフレクタ４２を所定の位置に位置させることができる。そして、前記ベース部材３２を前記配線基板３０に位置決めすると共に、前記リフレクタ４２を該ベース部材３２に位置決めしたもとで、該リフレクタ４２に位置させた固定部材４４を該配線基板３０にビス止めするようにしたので、作業効率を向上でき、組付けを容易に行なうことができる。
【００３８】
また、前記リフレクタ４２を主反射面４２ａ，４２ｂ，４２ｃと、補助反射面４２ｄ，４２ｅ，４２ｆ，４２ｇとから構成し、前記各ＬＥＤ４１ａからの光を面反射させて、前記可視表示部１５（各図柄停止ラインＴ）を通過する前記図柄ドラム３４の図柄を照明するようにしたので、各図柄の全体を均一の明るさで明輝表示できるようになり、演出効果の向上を図り得る。更に、前記各ＬＥＤ４１ａを前記リフレクタ４２の第２の開口部４３に挿通して該ＬＥＤ４１ａの側部を囲繞することにより、各ＬＥＤ４１ａの側方に照射された光を遮るよう構成したので、ＬＥＤ４１ａからの光で直接図柄を照射することはない。すなわち、前記図柄ドラム３４の図柄を照射するのは、前記リフレクタ４２の各反射面４２ａ，４２ｂ，４２ｃ，４２ｄ，４２ｅ，４２ｆ，４２ｇにより面反射された反射光のみとなる。このため、図柄の照明斑が生ずる畏れはなく、各図柄停止ラインＴの図柄を均一な輝度で照明演出することが可能である。
【００３９】
そして、前記主反射面４２ａ，４２ｂ，４２ｃを所要間隔で周方向へ順次傾斜する上方反射面４２ａ、中央反射面４２ｂおよび下方反射面４２ｃから構成し、各反射面４２ａ，４２ｂ，４２ｃに対応して前記各ＬＥＤ４１ａを配設したので、ＬＥＤ４１ａにより反射面４２ａ，４２ｂ，４２ｃ毎に独立して光を照射することができる。従って、前記可視表示部１５に図柄停止ラインＴを複数設けた場合でも、各図柄停止ラインＴ毎に明輝表示させることができる。また、前記リフレクタ４２に開口した第２の開口部４３，４３，４３を前記仕切部４３ａ，４３ａで上下に区切り、前記上方反射面４２ａ、中央反射面４２ｂおよび下方反射面４２ｃの夫々に対応して開口するよう構成したので、例えば前記ＬＥＤ４１ａで中央反射面４２ｂに光を照射した際に、上方反射面４２ａおよび下方反射面４２ｃに光が照射されることはない。
【００４０】
更に、前記ドラム式図柄表示装置２０では、配線基板３０の後側の上部位置に形成したコネクタ接続口３０ａを後ケース２４の挿通孔から外部に露出させた状態で、該配線基板３０の後側下部位置を該後ケース２４の規制突部２４ｂ，２４ｂの間に挿入することで、図柄表示ユニットＵの後側が位置決め固定される。更に、前記配線基板３０に取付けたベース部材３２における前記位置決め突部３２ｅを、透視表示体２２の溝部２２ｂと係合させると共に、該ベース部材３２における位置決め凹部３２ｄを、前ケース２５の突片部２５ｂと係合させることで、前記図柄表示ユニットＵは、その前後側が位置決め固定された状態で、ドラムケース２１内に直立状態で保持される。
【００４１】
このように、ビス等によりネジ止めすることなく前記図柄表示ユニットＵをドラムケース２１に収容固定することができ、組み立て作業は容易となる。なお、前記位置決め凹部３２ｄを形成した突出部３２ｃに切欠部３２ｇを形成したので、該切欠部３２ｇが前記配線基板３０と係合することで該突出部３２ｃの位置決めがなされる。このため、前記突出部３２ｃの撓み等が防止されて、前記位置決め凹部３２ｄと、前ケース２５の突片部２５ｂとの位置決めを容易に行なうことができる。また、前記ベース部材３２における円弧状規制片３２ｂの板面３２ａから左方向に延出している部位の内側に、前記配線基板３０の円弧状端縁部３１ａを当接しているから、前記ドラムケース２１内に図柄表示ユニットＵを収容した際には、前記可視表示部１５から配線基板３０が遊技者に見えることはなく、パチンコ機Ｐの意匠性が低下することはない。
【００４２】
また、ドラム式図柄表示装置の構成としては、実施例のものに限られず、各種の変更が可能である。例えば、位置検出体を取付ける取付部をベース部材の下方位置に形成するようにしたが、他の位置に形成してもよい。更に、前記配線基板の右面に、ステッピングモータやベース部材等を取付けるようにしたが、左面側に取付けるようにすることもできる。そして、前記インデックスをＬ字状に形成するようにしたが、単に直線的に延出するようにしてもよい。この場合、前記位置検出体を検出する位置検出手段を、該位置検出体側に開口するよう配設して、発光部と受光部との間を位置検出体が通出するよう構成すればよい。また、発光体としてはＬＥＤに限られるものではなく、豆球等の各種発光体を使用することができる。更に、前記リフレクタ部材に、主反射面として上方反射面、中央反射面および下方反射面の３つの反射面を設け、３方向に光を面反射させるよう構成したが、２つまたは４つ以上の反射面で構成するようにしても良く、前記可視表示部に設ける図柄停止ラインに応じて決定すればよい。
【００４３】
なお、実施例では、ベース部材の上端部近傍に形成した突出部の下部側に、切欠部を形成するようにしたが、該ベース部材の下端部近傍に形成してもよく、当該ベース部材の上端部および下端部の少なくとも何れか一方に形成するようにすることで、ベース部材の配線基板に対する位置規制することができる。また、前記ベース部材の上端部に設けた第１係合部も、該ベース部材の上端部または下端部の少なくとも何れか一方に形成し、該第１係合部と係脱自在に係合する第２係合部を収容ケースに形成すれば、当該第１係合部と第２係合部との係合により配線基板の位置決めを行なうことが可能となる。そして、回転式図柄表示装置として、図柄ドラムを回転させるドラム式図柄表示装置を使用した場合で説明したが、これに限られず、ベルト式やその他従来公知の装置を使用することができる。また、遊技機として、一般的なパチンコ機に回転式図柄表示装置を配設する場合について説明したが、これに限られるものではなく、スロットマシン機等にも好適に使用することができる。
【００４４】
【発明の効果】
以上説明したように、本発明に係る遊技機用の回転式図柄表示装置における図柄表示体に表示された各図柄を照明する照明手段は、該図柄表示体の円周に沿って配線基板に配設した複数の発光体と、該複数の発光体からの光を反射するリフレクタとから構成される。そして、前記リフレクタを前記図柄表示体の円周に近似した形状を有する円弧状部材に形成して、この円弧状部材に前記複数の発光体を収容する開口部を開設してある。この開口部に発光体を収容するため、前記複数の発光体からの直接光により、前記図柄表示体の各図柄が照明されることはない。更に、前記リフレクタは、前記開口部に連通して各発光体からの光を前記可視表示部を通過する前記図柄表示体の図柄に反射させる主反射面と、該可視表示部に向けて突出して各発光体からの光を図柄表示体の内側方向へ反射させる補助反射面とから構成されている。従って、前記各発光体からの光は、開口部と主反射面と連通している部位を通り、前記主反射面および補助反射面で反射されて、この反射光により前記図柄表示体の図柄が照明される。このように、前記可視表示部を通過する前記図柄表示体の図柄を反射光だけで照明することにより、各図柄を均一な輝度で明輝表示することができ、照明斑の発生を防止することが可能である。
【００４５】
また、前記主反射面を所要間隔で周方向へ順次傾斜させた上方反射面、中央反射面および下方反射面から構成すると共に、これら上方反射面、中央反射面および下方反射面の夫々を、前記複数の発光体を収容した前記開口部に対応的に連通させることで、前記可視表示部に入賞ラインを複数設けた場合に各入賞ライン毎に個別に明輝表示でき、発光による種々の演出を行ない得るようになる。更に、前記補助反射面を、前記可視表示部に近接するにつれて外方へ突出する湾曲面となっている右側部反射面および左側部反射面と、該可視表示部に近接するにつれて外側に突出する上側部反射面と下側部反射面として構成することで、前記図柄表示体の各図柄の全体に反射光を照射し得るようになるので、各図柄の全体が均一な輝度で明輝表示されて照明斑が生じ難くなる。
【図面の簡単な説明】
【図１】本発明に係る実施例の図柄表示ユニットを分解した状態で示す斜視図である。
【図２】実施例に係るドラム式図柄表示装置を配設したパチンコ機を示す正面図である。
【図３】実施例に係るドラム式図柄表示装置を配設したパチンコ機の遊技盤を示す正面図である。
【図４】実施例に係るドラム式図柄表示装置を分解した状態で示す斜視図である。
【図５】実施例に係る図柄表示ユニットのリフレクタを一部破断した状態を示す側面図である。
【図６】実施例に係る図柄表示ユニットのリフレクタを一部破断した状態を示す底面図である。
【図７】実施例に係るベース部材を示す側面図である。
【図８】実施例に係るベース部材の上部を拡大して示す側面図である。
【図９】実施例に係る図柄表示ユニットのリフレクタを示す斜視図である。
【図１０】従来の技術に係る図柄表示ユニットを示す縦断面図である。
【符号の説明】
１５　可視表示部
３０　配線基板
３４　図柄ドラム（図柄表示体）
３８　ステッピングモータ（回転駆動手段）
４１　照明手段
４１ａ　発光ダイオード（発光体）
４２　リフレクタ
４２ａ　上部反射面（主反射面）
４２ｂ　中央反射面（主反射面）
４２ｃ　下部反射面（主反射面）
４２ｄ　上側部反射面（補助反射面）
４２ｅ　下側部反射面（補助反射面）
４２ｆ　右側部反射面（補助反射面）
４２ｇ　左側部反射面（補助反射面）
４３　第２の開口部（開口部）
【図１】
2004033306.tif 000003
【図２】
2004033306.tif 000004
【図３】
2004033306.tif 000005
【図４】
2004033306.tif 000006
【図５】
2004033306.tif 000007
【図６】
2004033306.tif 000008
【図７】
2004033306.tif 000009
【図８】
2004033306.tif 000010
【図９】
2004033306.tif 000011
【図１０】
2004033306.tif 000012